(57)【要約】【課題】従来の不審者等に関するアンケ−トは質問も回答も文章で表すことが多いので、チェック方法を図や短い言葉で表したチェック欄に印を付けることで、子供でも簡単に記録しやすい防犯用の人物チェックシ−トを提供する。【解決手段】人物の体の特徴を表わす人物特徴欄３と、その人物が身に付けている帽子やメガネなどの特徴を表わす装身品特徴欄４と、その人物と会ったり見たした時間や場所などを表わす関連情報特徴欄１４に複数のチェック項目特徴欄９を設け、そのチェック項目特徴欄９に、チェック部位の特徴を図１０や言葉１１で表わすとともにチェック欄１２を設けてなる人物チェックシ−ト１とする。【選択図】図１
2007283737.tif 000002
【特許請求の範囲】
【請求項１】
地域周辺の見慣れない不審者を記録できるチェックシ−トであって、所定の大きさのシ−トに、その人物の体の特徴を表わす人物特徴欄と、その人物が身に付けている帽子やメガネなどの特徴を表わす装身品特徴欄と、その人物と会ったり見たした時間や場所などの特徴を表わす関連情報欄とを備えてなる前記する人物特徴欄と、装身品特徴欄と、関連情報特徴欄それぞれに複数のチェック項目特徴欄を設け、そのチェック項目特徴欄に設けた複数の区画にチェック部位の特徴を示す図と言葉を表わすとともにチェック欄を設けてなる構成を特徴とする人物チェックシ−ト。
【請求項２】
上記する人物チェックシ−トの一部に、人物の性別や国籍など記録できる人物区分け欄を設けてなる請求項１に記載する人物チェックシ−ト。
【請求項３】
上記する人物チェックシ−トの一部に、その他の補足説明を記入できる備考欄を設けてなる請求項１又は請求項２に記載する人物チェックシ−ト。
【請求項４】
上記する人物特徴欄と装身品特徴欄の間に人物図を表示し、その人物図の各チェック部位と、前記する人物特徴欄と装身品特徴欄のチェック項目特徴欄と一致する欄を指示線で結んだ請求項１に記載する人物チェックシ−ト。
【発明の詳細な説明】
【技術分野】
【０００１】  本発明は、居住地周辺、とりわけ学童の通学路や学校周辺における不審者を手軽にチェックして、誘拐や痴漢、侵入、強盗、殺人等の事件を未然に防ぐことができる人物チェックシ−トに関する。
【背景技術】
【０００２】  従来は地域における結びつきは強く、知らない人が居るとすぐに分かった。しかし、最近は知らない人が居ても地域の住民かどうかも分からないほど身近な住人どうしが疎遠な時代である。そんな中、幼い子供の誘拐やいたずらを初め、誘拐、痴漢、殺人など悲惨な事件を身近に感じるようになっているのが現状であり、子供を持つ親はもとより、地域住民にとっても知らない人がうろつくことや不審な人が居ることは不安であり、安心して住める居住環境を求めている。【０００３】  その防犯対策として、家庭においてはセキュリティ設備を整えたり、子供の防犯対策としては警察や父兄や地域住民との連絡を密にし、子供の教育に当たっては、不審者を想定した実施訓練や演劇やアニメなどによる不審者に対する教育を行ったり、学校においてはアンケ−トによる不審者情報を集める努力も図られている。また子供には防犯ブザ−やＧＰＳを利用した防犯具や携帯電話を持たせることで、屋外に居る子供の防犯や位置を知ることができる様々な機器も提供され始めている。
【発明の開示】
【発明が解決しようとする課題】
【０００４】  上記するような方法や手段により、子供に関わりある様々な事件を未然に防ぐ努力が為されている。しかし、上記するような手段や提案や実施が為されてはいるが、どれも未だ手探りの状態であり実効効果を上げるまでには至らないのが現状である。それは不審者や事件に遭ったらどうするこうすると言う対処的な方法であるとともに、知らない人に会っても、その人が犯罪を犯す人であるかどうかは大人でも分かりにくいし、ましてや幼い子供には無理なことであった。【０００５】  そのためには、常日頃から地域の結びつきを強めたり、アンケ−トによる情報を共有することはもとより、複数回に渡り複数の人が不審者と感じる人物をチェックして記録することは、未然に犯罪を防止できるので効果的方法である。しかし前述した学校におけるアンケ−ト調査による不審者情報を集める方法は、文章による問いや回答をするのが一般的であるため、やさしい言葉で質問するとは言え子供にとっては理解するのも難しく、また記憶をたどって的確に文章で表現するのも大変であるので、子供ははっきり覚えていない、面倒だと言う気持ちになって正確なアンケ−トが取れないこともあった。また保護者や先生が子供から聞きならが書き留めるのも、質問の仕方や聞き出し方よって答が大きく変わることもあるので難しいうえ、それを集計して統一した結果を出すのも難しかった。加えて、チェックする部分や質問を図やイラストなどで分かりやすくした人物チェックシ−トなどの技術も提供されていなかった。【０００６】  また、年々体感治安が悪化する中、我が子の身辺の把握と自衛をしたい親が増えているものの、簡単な聴取伝達手段がなかった。
【課題を解決するための手段】
【０００７】  本発明は上記するような不便や欠点を解消するために、請求項１においては、人物の体の特徴を表わす人物特徴欄と、その人物が身に付けている帽子やメガネなどの特徴を表わす装身品特徴欄と、その人物と会ったり見たりした時間や場所などの特徴を表わす関連情報特徴欄とを備えてなる前記する人物特徴欄と、装身品特徴欄と、関連情報特徴欄それぞれに、チェックする部位の特徴を図や言葉で表わした一部にチェック欄を設けた複数のチェック項目特徴欄を設けることで、質問する文章が短くても図や絵で知ることができる人物チェックシ−トとする。【０００８】  請求項２においては、上記する人物チェックシ−トの一部に、人物の性別や人種など記録できる人物区分け欄を設けることで、男女の区別や外国人かを知ることができるものとする。【０００９】  請求項３においては、上記する人物チェックシ−トの一部に、その他の補足説明を記入できる備考欄を設けることで、さらにきめ細かい情報を得るものとする。【００１０】  請求項４においては、上記する人物特徴欄と装身品特徴欄の間に人物図を表示し、その人物図の各チェック部位と、前記する人物特徴欄と装身品特徴欄のチェック項目特徴欄と一致する欄を指示線で結ぶことで、チェック部位を人物図でさらに分かりやすくする。
【発明の効果】
【００１１】  本発明における人物チェックシ−トは、文章による質問は最小限とし、質問や回答は図や絵で表わして、当てはまる項目にチェック印を付ける方式であるため子供でも分かりやすく、絵本など見たり読んでいるような感覚で記録できるチェックシ−トである。例えば、人物特徴欄における場合は、ヒゲの有る無し、どんなヒゲかと言う問いに対しては、文章でなくヒゲの形を何通りか図示しているので、思い出す時に記憶をたどりやすくなるので間違を少なくして正確な回答が得られる。さらにチェック項目特徴欄は、中央に位置する人物図のチェック箇所と一致する部位を指示線で結んでいるため、どの部分の質問かが視覚的に分かるので、特徴を表わした図とともにチェックしやすく確認しやすい従来には見られない効果的な人物チェックシ−トを提供する。【００１２】  さらに、漢字にはフリガナを付けているので、小さな子供でもその質問の意味が分かるので間違えたりせず正確にチェックすることができる。加えて、チェック欄以外に気が付いたことなど何でも備考欄に書き留められるので、チェックする人の個人差があっても漏れなく気になることや変だと思うことを記録することができる。また変だと思ったら体や身に付けている物の特徴をチェックする習慣を身に付けることは、子供の洞察力を日頃から高めて、危険要素のある人には近付かない防犯意識を養うこともできる。【００１３】  加えて、記録したチェックシ−トを集めて検討する際は、文章を一々読むことなくマ−クシ−ト方式で集計して結果を早く出せるため、その後の検討や対策にもスム−ズに対処できる。さらに、このチェックシ−トは子供の防犯のために子供自身が使い易いものとしているが、地域住民に配布したり、ス−パ−やコンビニなどに回収箱とともに常時備えてだれでも使える防犯チェックシ−トとすれば、家屋への侵入、強盗、強姦、殺人等の犯罪を未然に防ぐことができるとともに、これを使っている地域と知れば不審者への犯罪抑止効果を得られる人物チェックシ−トとして使える。【００１４】  また、このシ−トを用いることで家庭内から情報発信が早くできるため、犯罪未然防止に寄与するとともに、親子の不安を解消したり軽減ができるチェックシ−トである。
【発明を実施するための最良の形態】
【００１５】  居住地や学校周辺における不審者を、子供でも容易にチェックして記録できるように、質問は限りなく短い言葉で分かりやすく、かつ、図や絵（以下、図とする）を多用して子供でも簡単に人物や持ち物、場所や時間などを記録できるチェックシ−トとする。
【実施例】
【００１６】  本発明による人物チェックシ−トの実施例を、図１に示す人物特徴欄と装身品特徴欄を示す平面図と図２に示す人物のヒゲのチェック項目欄を拡大した平面図、図３に示す関連情報特徴欄の平面図で説明する。
本発明による人物チェックシ−ト１は、シ−トの中央に人物図２を表示、その左右いずれか一方に人物をチェックする人物特徴欄３を配し、対向側には、その人物が身に付けている品物や持ち物をチェックする装身品特徴欄４を配してなる前記人物図２の上部に、その人物の性別と人種をチェックする人物区分け欄５を位置するとともに、その他の気が付いたことを記入できる備考欄６を設ける。さらに次ペ−ジには、その人を見たり会った場所や時間、乗物などをチェックできる関連情報特徴欄７を配した他部に、備考欄６と記入者欄８を設けた人物チェックシ−ト１とする。【００１７】  以上のような人物チェックシ−ト１とするが、さらに具体的に詳述すると、前記したシ−トの中ほどに表す人物図２は、老若男女を特定するものでない図とし、その左側に位置した人物特徴欄３には、人物の頭部から下に向かってチェックする各部位の特徴を表わすチェック項目特徴欄９を複数設け、そのチェック項目特徴欄９を３区画にするとともに、その区画ごとにチェック部位の特徴を３通りの図１０と短い言葉１１を表わした一部に、○やマ−クなどの印を記入できるチェック欄１２付きチェック項目特徴欄９を設ける。【００１８】  他方、その対向側には、その人物が身に付けているメガネや衣服など上から下に向けてチェックする各部位を、前記した人物特徴欄３と同様にチェック部位の特徴を３通りの図１０と言葉１１とチェック欄１２を設けたチェック項目特徴欄９を複数配した他部に備考欄６を設ける。さらに、前記した人物特徴欄３と装身品特徴欄４に表した各チェック項目特徴欄９と一致する、前記人物図２のチェック部位とを指示線１３で結ぶ。【００１９】  さらに次ペ−ジには、その人物と出会った場所や時間をチェックできる関連情報特徴欄１４には、前記した各特徴欄と同様に、その人に会ったり見たりした場所や時間、乗物などの特徴を記録するそれぞれのチェック項目特徴欄９を設け、そのチェック項目特徴欄９は４区画とし、その区画ごとに異なる場所や時間、乗物などの図１０と言葉１１を表わした一部にチェック欄１２を有するチェック項目特徴欄９を複数設けた他部に、備考欄６と記入者欄８を配した人物チェックシ−ト１とする。尚、前記する言葉１１や説明文における漢字には、子供でも読めるようにふりがなを１５を付けるとよい。【００２０】  また、関連情報特徴欄１４には上記のように場所や時間、乗物などのチェック項目欄９を設けているが、これ以外の項目を追加してもよいことは言うまでもない。図示しないが、例えばその人物による動作や行動として、声をかけられた、手招きされた、体を触られた、後を付けられたなど変だと思う予備行為なども関連情報特徴欄１４に加えてもよい。【００２１】  本発明による人物チェックシ−ト１におけるチェック項目特徴欄９には、いずれも特徴を表わす複数の図１０とともに短い言葉１１で表しているので、小さな子供でも簡単に理解できるうえ、当てはまる部分のチェック欄１２に○や他の印を記入するだけで簡単に記録できる。また、各チェック項目特徴欄９と一致する人物図２のチェック部位を指示線１３で結んでいるので、チェックする部分が体のどこか、身に付けている物はどの部分であるかが一目で分かる。さら��備考欄６を備えているので、チェックした部分以外の気が付いたことなど補足事項を記録することができる。また子供でも質問が分かるように、図２の拡大図に示すように漢字にはふりがな１５を付けているので、質問や意味が理解しやすいとともに、チェックした人の名前や記入した日付けを記録できる記入者欄８を備えた人物チェックシ−ト１となる。また関連情報特徴欄１４には図示する以外に、その人物による不審行為や動作などのチェック項目特徴欄９を追加すれば、さらにきめ細かい特徴を記録できるものとなる。加えて、前記した備考欄６には付加事項を記入できるが、それ以外の記録方法として、前記した人物図２を利用して、例えば、肩掛けカバンやカメラなどを人物図２に直接描いて記録する方法であってもよい。【００２２】  本発明における人物チェックシ−ト１は以上のような構成であるが、その中におけるチェック項目特徴欄９の数は基本とする最小限であるが、さらに項目を増やしてもよいし、その特徴を表わす図１０や言葉１１の区画数も増やしてきめ細かいチェックができるようにしてもよい。また図８はイラストや絵であるが写真を採用しても構わない。加えて、備考欄６はもっとスペ−スを取ってもよいし、単独の専用シ−トを組み合わせる形であってもよい。またこれはシ−トであるが、インタ−ネットでの様式のダウンロ−ド又は、ウェブ上での書き込み集計や伝達に対応できる方式であってもよいことはもとより、このチェックシ−トが、ミシン目を付けて切り離しできる小冊子にすることも可能であり、いずれも特に限定されるものではない。
【図面の簡単な説明】
【００２３】
【図１】本発明の人物チェックシ−トの人物特徴欄と装身品特徴欄を示す平面図である。
【図２】人物チェックシ−トの一部のチェック項目欄を拡大した図である。
【図３】人物チェックシ−トにおける関連情報特徴欄を示す平面図である。
【符号の説明】
【００２４】  １  人物チェックシ−ト
２  人物図
３  人物特徴欄
４  装身品特徴欄
５  人物区分け欄
６  備考欄
７  関連情報特徴欄
８  記入者欄
９  チェック項目特徴欄
１０  図
１１  言葉
１２  チェック欄
１３  指示線
１４  関連情報特徴欄
１５  ふりがな
【図１】
2007283737.tif 000003
【図２】
2007283737.tif 000004
【図３】
2007283737.tif 000005